(57)【特許請求の範囲】
【請求項１】
２又はより多くの物理リソースブロック（ＰＲＢ）について定義されるＰＵＣＣＨフォーマットを有する物理アップリンク制御チャネル（ＰＵＣＣＨ）に複数のＰＲＢを割り当てるプロセッサであって、前記割り当てられた複数のＰＲＢはユーザデバイスに関連付けられる、プロセッサと、
割り当てられた複数のＰＲＢの周波数位置及び数を含む割り当て情報を前記ユーザデバイスへシグナリングするトランシーバと
を備え、
前記割り当て情報は、インデックスとしてシグナリングされ、
各インデックスは、周波数領域において隣接して配置される、割り当てられたＰＲＢのセットに関連付けられ、上位層によって構成される、無線通信システムのためのネットワークノード。
【請求項２】
割り当てられた前記複数のＰＲＢのうちの少なくとも２つは、周波数領域において、及び、同一の時間スロット内に隣接して配置される、請求項１に記載のネットワークノード。
【請求項３】
割り当てられた前記複数のＰＲＢのうちの少なくとも２つは、同一の周波数に、及び、異なる隣接する時間スロット内に配置される、請求項１または２に記載のネットワークノード。
【請求項４】
前記割り当て情報は、割り当てられた前記複数のＰＲＢの変調タイプ及び変調レベルのうちの少なくとも１つを更に含む、請求項１から３のいずれか一項に記載のネットワークノード。
【請求項５】
割り当てられた前記複数のＰＲＢの前記周波数位置及び前記数のうちの少なくとも１つは、前記変調タイプ及び前記変調レベルのうちの少なくとも１つを用いてジョイント符号化される、請求項４に記載のネットワークノード。
【請求項６】
前記割り当て情報は、ダウンリンク制御チャネル内において物理層シグナリングとして、若しくは上位層シグナリングとして、又は、それらの組み合わせとしてシグナリングされる、請求項１から５のいずれか一項に記載のネットワークノード。
【請求項７】
異なるサイズを有する、割り当てられたＰＲＢの少なくとも２つのセットが存在する、請求項１から６のいずれか一項に記載のネットワークノード。
【請求項８】
前記トランシーバは更に、前記割り当て情報のシグナリングに応答して、前記ＰＵＣＣＨにおいて、前記ユーザデバイスからアップリンク制御情報を受信する、請求項１から７のいずれか一項に記載のネットワークノード。
【請求項９】
隣接するＰＲＢペアの第１のセットは、キャリアの端の近くの周波数領域に割り当てられ、ＰＲＢペアの第２のセットは、ハイブリッド自動再送要求（ＨＡＲＱ）−ＡＣＫ情報を運ぶべく、前記キャリアの中心の近くの周波数領域に予約されている、請求項１から８のいずれか一項に記載のネットワークノード。
【請求項１０】
１又は複数のネットワークノードについてのアップリンク制御情報を判定するプロセッサと、
物理アップリンク制御チャネル（ＰＵＣＣＨ）内において、前記１又は複数のネットワークノードへ前記アップリンク制御情報を送信するトランシーバであって、複数の物理リソースブロック（ＰＲＢ）が前記ＰＵＣＣＨへ割り当てられ、前記ＰＵＣＣＨは、２又はより多くのＰＲＢについて定義されたＰＵＣＣＨフォーマットを有する、トランシーバと、
を備え、
前記トランシーバは更に、物理層シグナリング若しくは上位層シグナリング、又は、それらの組み合わせにおいて、前記１又は複数のネットワークノードから割り当て情報を受信し、前記割り当て情報は、割り当てられた複数のＰＲＢの周波数位置及び数を含み、
前記トランシーバは更に、前記割り当て情報に従って、前記ＰＵＣＣＨ内において、前記アップリンク制御情報を送信し、
前記割り当て情報は、インデックスとしてシグナリングされ、
各インデックスは、周波数領域において隣接して配置される、割り当てられたＰＲＢのセットに関連付けられ、上位層によって構成される、無線通信システムのためのユーザデバイス。
【請求項１１】
隣接するＰＲＢペアの第１のセットは、キャリアの端の近くの周波数領域に割り当てられ、ＰＲＢペアの第２のセットは、ハイブリッド自動再送要求（ＨＡＲＱ）−ＡＣＫ情報を運ぶべく、前記キャリアの中心の近くの周波数領域に予約されている、請求項１０に記載のユーザデバイス。
【請求項１２】
２又はより多くの物理リソースブロック（ＰＲＢ）について定義されたＰＵＣＣＨフォーマットを有する物理アップリンク制御チャネル（ＰＵＣＣＨ）に複数のＰＲＢを割り当てる段階であって、割り当てられた前記複数のＰＲＢは、ユーザデバイスに関連付けられる、段階と、
割り当て情報を前記ユーザデバイスへシグナリングする段階であって、前記割り当て情報は、前記ＰＵＣＣＨフォーマットについての割り当てられた複数のＰＲＢの周波数位置及び数を含む、段階と
を備え、
前記割り当て情報は、インデックスとしてシグナリングされ、
各インデックスは、周波数領域において隣接して配置される、割り当てられたＰＲＢのセットに関連付けられ、上位層によって構成される、無線通信システムのための方法。
【請求項１３】
割り当てられた複数の前記ＰＲＢのうち少なくとも２つは、周波数領域において、及び、同一の時間スロット内で、隣接して配置される、請求項１２に記載の方法。
【請求項１４】
割り当てられた複数の前記ＰＲＢのうち少なくとも２つは、同一の周波数領域において、及び、隣接する異なる時間スロット内に配置される、請求項１２又は１３に記載の方法。
【請求項１５】
前記割り当て情報は、ダウンリンク制御チャネル内において、物理層シグナリングとして、若しくは上位層シグナリングとして、又は、それらの組み合わせとしてシグナリングされる、請求項１２から１４のいずれか一項に記載の方法。
【請求項１６】
隣接するＰＲＢペアの第１のセットは、キャリアの端の近くの周波数領域に割り当てられ、ＰＲＢペアの第２のセットは、ハイブリッド自動再送要求（ＨＡＲＱ）−ＡＣＫ情報を運ぶべく、前記キャリアの中心の近くの周波数領域に予約されている、請求項１２から１５のいずれか一項に記載の方法。
【請求項１７】
コンピュータに、請求項１２から１６のいずれか一項に記載の方法を実行させるためのコンピュータプログラム。
【請求項１８】
１又は複数のネットワークノードについてのアップリンク制御情報を判定する段階と、
物理層シグナリング若しくは上位層シグナリング、又は、それらの組み合わせにおいて、前記１又は複数のネットワークノードから割り当て情報を受信する段階であって、前記割り当て情報は、割り当てられた複数の物理リソースブロック（ＰＲＢ）の周波数位置及び数を含む、段階と、
前記割り当て情報に従って、物理アップリンク制御チャネル（ＰＵＣＣＨ）内において、前記１又は複数のネットワークノードへ前記アップリンク制御情報を送信する段階であって、複数のＰＲＢは前記ＰＵＣＣＨに割り当てられ、前記ＰＵＣＣＨは２又はより多くのＰＲＢについて定義されたＰＵＣＣＨフォーマットを有する、段階と
を備え、
前記割り当て情報は、インデックスとしてシグナリングされ、
各インデックスは、周波数領域において隣接して配置される、割り当てられたＰＲＢのセットに関連付けられ、上位層によって構成される、無線通信システムのための方法。
【請求項１９】
隣接するＰＲＢペアの第１のセットは、キャリアの端の近くの周波数領域に割り当てられ、ＰＲＢペアの第２のセットは、ハイブリッド自動再送要求（ＨＡＲＱ）−ＡＣＫ情報を運ぶべく、前記キャリアの中心の近くの周波数領域に予約されている、請求項１８に記載の方法。
【請求項２０】
コンピュータに、請求項１８又は１９に記載の方法を実行させるためのコンピュータプログラム。
【発明の詳細な説明】
【技術分野】
【０００１】
本発明は、ネットワークノード及びユーザデバイスに関する。更に、本発明はまた、対応する方法、コンピュータプログラム、及びコンピュータプログラム製品に関する。
【背景技術】
【０００２】
アップリンク（ＵＬ）制御チャネルは、ダウンリンク（ＤＬ）データ送信に応答するハイブリッド自動再送要求（ＨＡＲＱ）フィードバック、アップリンクのためのスケジューリング要求（ＳＲ）、及び、ダウンリンクキャリアに対応するチャネル状態情報（ＣＳＩ）レポートを基地局へ提供するべく利用される。ユーザ装置（ＵＥ）が複数のダウンリンクキャリア上で同時にスケジューリングされ得て、これにより、ＨＡＲＱフィードバックが増加するだけでなく、スケジューリングを手助けするための、より多くのＣＳＩレポートの必要性も増加することを考慮すると、キャリアアグリゲーションにおいて、アップリンク制御情報（ＵＣＩ）オーバーヘッドが大きくなり得る。
【０００３】
時分割複信（ＴＤＤ）システムでは、ＵＣＩオーバーヘッドはより一層深刻である。なぜなら、典型的には、利用可能なアップリンクサブフレームはダウンリンクサブフレームより少ないからである。このことは、アップリンク制御チャネルの送信試行あたりのＵＣＩペイロードが大きくなることを示唆する。ロングタームエボリューションアドバンスト（ＬＴＥ−アドバンスト）Ｒｅｌ−１２において、ＵＥは、最大５つのサービングセル（すなわち、ｅＮｏｄｅＢにおける種々のキャリア）を集約するように構成され得る。サービングセルは、少なくともダウンリンクコンポーネントキャリアを有し、各キャリアは最大２０ＭＨｚの帯域幅を含む。ＵＥは常に、ダウンリンク及びアップリンク両方のコンポーネントキャリアを有する、ＵＥ固有の一次サービングセルで構成される。アップリンク制御チャネルは、一次サービングセル上で送信される。加えて、ＵＥは、最大４つのＵＥ固有の二次サービングセルを集約するように構成され得る。
【０００４】
ＬＴＥ−アドバンストにおける物理アップリンク制御チャネル（ＰＵＣＣＨ）は、例えば、フォーマット１／１ａ／１ｂ／２／２ａ／２ｂ／３など、複数のＰＵＣＣＨフォーマットを含む。各フォーマットは、ＳＲ送信、ＨＡＲＱフィードバック、及び周期的ＣＳＩレポートという特定の目的に使用される。これらのＰＵＣＣＨフォーマットのペイロードは、１〜２２情報ビットの範囲に及ぶ。ＰＵＣＣＨフォーマット１／１ａ／１ｂ／２／２ａ／２ｂは、変調されたシーケンスに基づき、一方、ＰＵＣＣＨフォーマット３は、離散フーリエ変換（ＤＦＴ）拡散送信を使用する。また、ＰＵＣＣＨフォーマットのうちの複数は、符号分割多重（ＣＤＭ）送信を含み、それにより、複数のＵＥは、種々のシーケンスを利用することによって、同一の物理リソースブロック（ＰＲＢ）ペア上でＰＵＣＣＨを送信し得る。ＰＵＣＣＨフォーマット１／１ａ／１ｂ／２／２ａ／２ｂは、同一のＰＲＢペアを共有し得て、一方、ＰＵＣＣＨフォーマット３のＰＲＢペアは、他のＰＵＣＣＨフォーマットと共有され得ない。特徴的な性質として、全てのＰＵＣＣＨフォーマットがＱＰＳＫ変調を利用し、１つのＰＲＢペアを含む１つのＰＵＣＣＨ領域のみを占有する。
【０００５】
リソース割り当ては、ＵＥに情報を提供することを含み、それにより、ＵＥは、ＰＵＣＣＨ送信に何のシーケンス及びＰＲＢペアを使用すべきか知り得る。ＰＵＣＣＨフォーマット２／２ａ／２ｂのためのＰＵＣＣＨリソースは、半静的に構成され、典型的には、キャリアの端に近い外側のＰＵＣＣＨ領域に配置され得る。これらのフォーマットは主に、周期的なＣＳＩレポートに使用される。ＰＵＣＣＨフォーマット１ａ／１ｂのためのＰＵＣＣＨリソースは、ＰＤＣＣＨか、又は、関連する物理ダウンリンク共有チャネル（ＰＤＳＣＨ）のスケジューリングに使用された拡張型物理ダウンリンク制御チャネル（ＥＰＤＣＣＨ）から暗黙に取得され得る。従って、これらは必要に応じて動的に割り当てられる。また、ＰＵＣＣＨフォーマット１ａ／１ｂのためのＰＵＣＣＨリソースは、関連するＰＤＣＣＨ／ＥＰＤＣＣＨが存在しない場合（例えば、半永続スケジューリング（ＳＰＳ））に、半静的に構成され得る。典型的には、送信されるシーケンスの種々の巡回シフトを利用してＣＤＭ送信を実現することによって、最大１８のＵＥがＰＢＲペア内において多重化され得る。ＰＵＣＣＨフォーマット３は、例えば、ＵＥが少なくとも１つの二次サービングセル上でスケジューリングされる場合に使用され得る。種々の拡散符号を利用することによって、ＰＲＢペア内において最大５つのＵＥが多重化され得る。半静的ＰＵＣＣＨリソースのセットがＰＵＣＣＨフォーマット３について構成され、リソースは、二次セル上の関連するＰＤＣＣＨ／ＥＰＤＣＣＨにおけるインジケータによって、このセットから動的に指示される。ＵＥがその一次サービングセル上だけでスケジューリングされる場合、ＰＵＣＣＨフォーマット１／１ａ／１ｂリソースを使用する。
【発明の概要】
【０００６】
本発明の実施形態の目的は、従来の解決法の欠点及び問題を緩和又は解決する解決法を提供することである。
【０００７】
この説明における「又は」、及び、対応する請求項は、「及び」及び「又は」を含む数学的な論理和であると理解されるべきであり、ＸＯＲ（排他的論理和）として理解されるべきではない。
【０００８】
上述の目的は、独立請求項の主題によって解決される。本発明の更に有利な実装形態は、従属請求項において見ることができる。
【０００９】
本発明の第１態様によれば、上述の、及び他の目的は、無線通信システムのためのネットワークノードを用いて実現され、ネットワークノードは、２又はより多くのＰＲＢについて定義されたＰＵＣＣＨフォーマットを有する物理アップリンク制御チャネル（ＰＵＣＣＨ）に複数の物理リソースブロック（ＰＲＢ）を割り当てるように構成されるプロセッサ（割り当てられた複数のＰＲＢはユーザデバイスに関連付けられる）と、割り当て情報をユーザデバイスへシグナリングするように構成されるトランシーバ（割り当て情報は、割り当てられた複数のＰＲＢの周波数位置及び数を含む）とを含む。
【００１０】
２又はより多くのＰＲＢについて定義されたＰＵＣＣＨフォーマットを有するＰＵＣＣＨを割り当てる能力と、割り当て情報をユーザデバイスへ送信する能力とを備えるネットワークノードを用いることで、多くの利点が提供される。
【００１１】
利点として、本ネットワークノードは、２又はより多くのＰＲＢペアを利用することによって、ＰＵＣＣＨ上に大きいＵＣＩペイロードを収容する能力を提供し、また、割り当てられたＰＲＢの位置及び数をユーザデバイスへシグナリングすることによって、改善された柔軟なＰＵＣＣＨリソース利用率を提供する。従って、本ネットワークノードは、ＰＲＢペアの数、並びに、時間領域及び周波数領域の両方における位置を判定するという点で、ＰＲＢペアの柔軟な割り当てという利点を提供する。従って、本ネットワークノードは、予約される必要があるＰＲＢペアを少なくする。なぜなら、ネットワークノードは、十分なＵＣＩ検出性能を提供しつつ、ＵＣＩペイロードを収容するための最低限の数のＰＲＢペアを割り当て得るからである。更に、重複するＰＲＢペアを種々のＰＵＣＣＨフォーマットのために構成すること、及び、リソース衝突を回避するべく、ダウンリンク制御チャネル内において伝えられる割り当て情報を使用することによって、ＰＲＢペアの数の節約が実現され得る。
【００１２】
第１態様に係るネットワークノードの第１の可能な実装形態において、割り当てられた複数のＰＲＢのうちの少なくとも２つは、周波数領域において、及び、同一の時間スロット内に隣接して配置される。
【００１３】
この開示において、時間スロットは、無線通信システムの時間リソースとして理解されるべきである。従って、時間スロットは、適切な時間単位において定義される時間リソースと見なされ得る。例えば、ＬＴＥにおいて、時間スロットは０．５ｍｓの時間長であり、２つの時間スロットは、１ｍｓのサブフレームを１つ含む。しかしながら、本開示の時間スロットは、０．５ｍｓより短い、又は長い時間長を有し得る。
【００１４】
第１態様のこの第１の可能な実装形態の利点は、ピーク対平均電力比（ＰＡＰＲ）が低いシグナリングを生じさせる離散フーリエ変換（ＤＦＴ）プリコーディングを、複数の隣接するＰＲＢに対して実行する可能性を含む。これにより、ネットワークノードはパワーバックオフを低減でき、その結果、ネットワークノードがユーザデバイスから送信されるＰＵＣＣＨ及びＵＣＩを正確に受信する確率が改善する。
【００１５】
第１態様の第１の可能な実装形態、又は、第１態様自体に係るネットワークノードの第２の可能な実装形態において、割り当てられた複数のＰＲＢのうちの少なくとも２つは、同一の周波数において、及び、隣接する異なる時間スロット内に配置される。
【００１６】
第１態様のこの第２の可能な実装形態の利点には、異なる時間スロットの間にチャネル推定を補間する可能性が含まれる。これは、チャネル推定の向上をもたらし、ネットワークノードがユーザデバイスからアップリンク制御情報を正確に受信する確率が改善する。
【００１７】
第１態様の上述の可能な実装形態のいずれか、又は第１態様自体に係るネットワークノードの第３の可能な実装形態において、割り当て情報は更に、割り当てられた複数のＰＲＢについての変調タイプ及び変調レベルのうちの少なくとも１つを含む。
【００１８】
第１態様のこの第３の可能な実装形態の利点には、ペイロードを変調タイプ又は変調レベルに適合することによって、ＰＵＣＣＨリソース利用率が改善し、その結果、必要なＰＲＢ又はＰＲＢペアが少なくなり、ＰＵＣＣＨの検出性能が改善し得るという可能性が含まれる。
【００１９】
第１態様の第３の可能な実装形態、又は、第１態様自体に係るネットワークノードの第４の可能な実装形態において、割り当てられた複数のＰＲＢの周波数位置及び数のうちの少なくとも１つは、変調タイプ及び変調レベルのうちの少なくとも１つを用いてジョイント符号化（ｊｏｉｎｔｌｙ  ｅｎｃｏｄｅｄ）される。
【００２０】
第１態様のこの第４の可能な実装形態の利点には、割り当て情報をトランシーバがシグナリングするのに必要なビットの量を低減する可能性が含まれる。従って、無線通信システムにおいてオーバーヘッドが低減される。
【００２１】
第１態様の上述の可能な実装形態のいずれか、又は、第１態様自体に係るネットワークノードの第５の可能な実装形態において、割り当て情報は、（例えば、ダウンリンク制御情報（ＤＣＩ）フォーマットにおけるビットによって）ダウンリンク制御チャネルにおいて物理層シグナリングとして、又は、（例えば、無線リソース制御（ＲＲＣ）シグナリングによって提供されるビット／情報によって）上位層のシグナリングとして、又は、（例えば、ＤＣＩにおけるビットをＲＲＣ構成ＰＲＢペアと関連付けることによって）それらの組み合わせとしてシグナリングされる。
【００２２】
第１態様のこの第５の可能な実装形態の利点には、トランシーバが割り当て情報をシグナリングするのに必要なビットの量を低減する可能性が含まれる。従って、無線通信システムにおいてオーバーヘッドが低減される。
【００２３】
第１態様の上述の可能な実装形態のいずれか、又は、第１態様自体に係るネットワークノードの第６の可能な実装形態において、割り当て情報はインデックス又はビットマップとしてシグナリングされる。
【００２４】
第１態様のこの第６の可能な実装形態の利点には、柔軟な割り当てを提供しつつ、トランシーバが割り当て情報をシグナリングするのに必要なシグナリングの量を低減する可能性が含まれる。従って、無線通信システムにおいてオーバーヘッドが低減される。
【００２５】
第１態様の第６の可能な実装形態に係るネットワークノードの更に可能な実装形態において、各インデックスはビットマップに関連付けられ、及び／又は、各インデックスはダウンリンク制御チャネル内においてビットでシグナリングされる。
【００２６】
従って、第１態様のこれらの実装形態を用いて、無線通信システムにおいてオーバーヘッドが低減される。
【００２７】
第１態様の第６の可能な実装形態、又は、第１態様自体に係るネットワークノードの第７の可能な実装形態において、各インデックスは、周波数領域内に隣接して配置される、割り当てられたＰＲＢのセットに関連付けられ、上位層によって構成される。
【００２８】
第１態様のこの第７の可能な実装形態の利点には、割り当て情報を提供するための、ダウンリンク制御チャネル上のシグナリングの量を低減する可能性が含まれる。従って、無線通信システムにおいてオーバーヘッドが低減される。
【００２９】
第１態様の第７の可能な実装形態、又は、第１態様自体に係るネットワークノードの第８の可能な実装形態において、種々のサイズを有する割り当てられたＰＲＢのセットが少なくとも２つ存在する。
【００３０】
第１態様のこの第８の可能な実装形態の利点には、例えば、ＵＣＩペイロードに応じて、種々の数のＰＲＢ又はＰＲＢペアを利用する可能性が含まれる。このことは、割り当ての柔軟性と、オーバーヘッドの低減と、種々の送信条件及び要件への適合を示唆する。
【００３１】
第１態様の上述の可能な実装形態のいずれか、又は、第１態様自体に係るネットワークノードの第９の可能な実装形態において、トランシーバは更に、割り当て情報のシグナリングに応答して、ＰＵＣＣＨ内において、ユーザデバイスからアップリンク制御情報を受信するように構成される。
【００３２】
第１態様のこの第８の可能な実装形態の利点には、ユーザデバイスが新しいＰＵＣＣＨフォーマットに従って送信を行うという理由により、本解決法に係る新しいＰＵＣＣＨフォーマットの利点を十分に活用し得る無線通信システムが含まれる。
【００３３】
本発明の第２態様によれば、上述の、及び、他の目的は、無線通信システムのためのユーザデバイスによって実現され、ユーザデバイスは、１又は複数のネットワークノードのためのアップリンク制御情報を判定するように構成されるプロセッサと、ＰＵＣＣＨ内においてアップリンク制御情報を１又は複数のネットワークノードへ送信するように構成されるトランシーバとを備える。当該トランシーバにおいて、複数のＰＲＢがＰＵＣＣＨに割り当てられ、ＰＵＣＣＨは、２又はより多くのＰＲＢについて定義されたＰＵＣＣＨフォーマットを有する。
【００３４】
２又はより多くのＰＲＢについて定義されたＰＵＣＣＨフォーマットを有するＰＵＣＣＨ内においてアップリンク制御情報を送信できる、第２態様に係る本ユーザデバイスは、多くの利点を提供する。
【００３５】
第２態様に係るユーザデバイスについての利点には、ユーザデバイスが新しいＰＵＣＣＨを送信でき、これにより、ペイロード容量が増加し得るので、より多くの数のサポートされるキャリアのサポートを可能にすることが含まれる。また、ＰＵＣＣＨのペイロード柔軟性が提供される。
【００３６】
第２態様に係るユーザデバイスの第１の可能な実装形態において、トランシーバは更に、物理層シグナリングにおいて、又は、上位層のシグナリングにおいて、又は、それらの組み合わせにおいて、１又は複数のネットワークノードから割り当て情報を受信するように構成され、割り当て情報は、割り当てられた複数のＰＲＢの周波数位置及び数を含む。トランシーバは更に、割り当て情報に従って、ＰＵＣＣＨ内においてアップリンク制御情報を送信するように構成される。
【００３７】
第２態様のこの第１実装形態についての利点には、ユーザデバイスのＰＵＣＣＨ送信が動的に、又は半静的制御され得ることが含まれる。このことは、ＰＵＣＣＨ送信が、例えば無線アクセスネットワーク及び環境条件に適合され得ることを意味し、性能が改善しスループットが増加することを示唆する。更に、第２態様の第１の実装形態では、ＰＵＣＣＨの、より一層のペイロード柔軟性が提供される。
【００３８】
本発明の第３態様によれば、上述の、及び他の目的は、無線通信システムのための方法を用いて実現され、方法は、２又はより多くのＰＲＢについて定義されたＰＵＣＣＨフォーマットを有するＰＵＣＣＨに複数のＰＲＢを割り当てる段階（割り当てられた複数のＰＲＢはユーザデバイスに関連付けられる）と、割り当て情報をユーザデバイスへシグナリングする段階（割り当て情報は、ＰＵＣＣＨフォーマットに割り当てられた複数のＰＲＢの周波数位置及び数を含む）とを含む。
【００３９】
第３態様に係る方法の第１の可能な実装形態において、割り当てられた複数のＰＲＢのうちの少なくとも２つは、周波数領域において、及び、同一の時間スロット内に隣接して配置される。
【００４０】
第３態様の第１の可能な実装形態、又は第３態様自体に係る方法の第２の可能な実装形態において、割り当てられた複数のＰＲＢの少なくとも２つは、同一の周波数において、及び、異なる隣接する時間スロット内に配置される。
【００４１】
第３態様の上述の可能な実装形態のいずれか、又は第３態様自体に係る方法の第３の可能な実装形態において、割り当て情報は更に、割り当てられた複数のＰＲＢについての変調タイプ及び変調レベルのうちの少なくとも１つを含む。
【００４２】
第３態様の第３の可能な実装形態、又は、第３態様自体に係る方法の第４の可能な実装形態において、割り当てられた複数のＰＲＢの周波数位置及び数のうちの少なくとも１つは、変調タイプ及び変調レベルのうちの少なくとも１つを用いてジョイント符号化される。
【００４３】
第３態様の上述の可能な実装形態のいずれか、又は、第３態様自体に係る方法の第５の可能な実装形態において、割り当て情報は、ダウンリンク制御チャネル内において、物理層シグナリングとして、又は、上位層のシグナリングとして、又は、それらの組み合わせとしてシグナリングされる。
【００４４】
第３態様の上述の可能な実装形態のいずれか、又は、第３態様自体に係る方法の第６の可能な実装形態において、割り当て情報はインデックス又はビットマップとしてシグナリングされる。
【００４５】
第３態様の第６の可能な実装形態に係る方法の更に可能な実装形態において、各インデックスは、ビットマップに関連付けられ、及び／又は各インデックスは、ダウンリンク制御チャネル内においてビットでシグナリングされる。
【００４６】
第３態様の第６の可能な実装形態、又は、第３態様自体に係る方法の第７の可能な実装形態において、各インデックスは、周波数領域内に隣接して配置される、割り当てられたＰＲＢのセットに関連付けられ、上位層によって構成される。
【００４７】
第３態様の第７の可能な実装形態、又は、第３態様自体に係る方法の第８の可能な実装形態において、種々のサイズを有する割り当てられたＰＲＢのセットが少なくとも２つ存在する。
【００４８】
第３態様の上述の可能な実装形態のいずれか、又は、第３態様自体に係る方法の第９の可能な実装形態において、方法は更に、割り当て情報のシグナリングに応答して、ＰＵＣＣＨ内において、ユーザデバイスからアップリンク制御情報を受信する段階を含む。
【００４９】
本発明の第４態様によれば、上述の、及び、他の目的は、無線通信システムのための方法によって実現され、方法は、１又は複数のネットワークノードのためのアップリンク制御情報を判定する段階と、ＰＵＣＣＨ内においてアップリンク制御情報を１又は複数のネットワークノードへ送信する段階であって、複数のＰＲＢがＰＵＣＣＨに割り当てられ、ＰＵＣＣＨは、２又はより多くのＰＲＢについて定義されたＰＵＣＣＨフォーマットを有する、段階とを備える。
【００５０】
第４態様に係る方法の第１の可能な実装形態において、方法は更に、物理層シグナリングにおいて、又は、上位層のシグナリングにおいて、又は、それらの組み合わせにおいて、１又は複数のネットワークノードから割り当て情報を受信する段階であって、割り当て情報は、割り当てられた複数のＰＲＢの周波数位置及び数を含む、段階と、割り当て情報に従って、ＰＵＣＣＨ内においてアップリンク制御情報を送信する段階とを有する。
【００５１】
第３態様又は第４態様に係る方法の利点は、第１及び第２態様に係る、対応するデバイスクレームの利点と同一である。
【００５２】
本発明は、コード化手段を特徴とするコンピュータプログラムにも関連し、これは、処理手段により実行されるとき、上記処理手段に本発明に係る任意の方法を実行させる。更に、本発明は、コンピュータ可読媒体及び上述のコンピュータプログラムを有するコンピュータプログラム製品にも関連し、上記コンピュータプログラムは、コンピュータ可読媒体に含まれ、ＲＯＭ（リードオンリメモリ）、ＰＲＯＭ（プログラマブルＲＯＭ）、ＥＰＲＯＭ（消去可能ＰＲＯＭ）、フラッシュメモリ、ＥＥＰＲＯＭ（電気的ＥＰＲＯＭ）、及びハードディスクドライブの群からの１又は複数から構成される。
【００５３】
本発明の更なる用途及び利点が、以下の詳細な説明から明らかになるであろう。
【図面の簡単な説明】
【００５４】
添付の図面は、本発明の種々の実施形態を明確化及び説明することを意図している。
【図１】ＰＵＣＣＨ領域を示す。
【図２】本発明の実施形態に係る第１ネットワークノードを示す。
【図３】本発明の実施形態に係る方法を示す。
【図４】本発明の実施形態に係る第２ネットワークノードを示す。
【図５】本発明の実施形態に係る別の方法を示す。
【図６】本発明の実施形態に係る無線通信システムを示す。
【図７】本発明の実施形態に係るＰＵＣＣＨフォーマットのためのリソース割り当ての例を図示する。
【図８】本発明の実施形態に係るＰＵＣＣＨフォーマットのためのリソース割り当ての更なる例を図示する。
【図９】本発明の実施形態に係るＰＵＣＣＨフォーマットのためのリソース割り当ての更なる例を図示する。
【図１０】本発明の実施形態に係るＰＵＣＣＨフォーマットのためのリソース割り当ての更なる例を図示する。
【発明を実施するための形態】
【００５５】
本発明者は、関連技術であるＬＴＥ及びＬＴＥ−アドバンストなどの従来技術の複数の問題及び欠点を特定した。これらは、本発明の実施形態によって解決される。
【００５６】
例えば、より高い周波数帯域、又は、未許可の周波数帯域において、より多くのスペクトルが利用可能になるので、５より多くのサービングセルを集約する能力を有するＵＥを導入することは、有益であろう。また、ＬＴＥ−アドバンスト  Ｒｅｌ‐１３は、ＵＥあたり、最大３２のサービングセルの集約（すなわち、最大３２のコンポーネントキャリアの同時受信）をサポートすることになっている。これは、ＵＣＩフィードバックを著しく増加させ、ＵＣＩを送信するための新しい機構（例えば、アップリンク制御チャネルの新しい設計）を必要とする。アップリンク制御チャネルのペイロード容量の増加に加え、その時間−周波数リソース割り当てを考慮することも重要である。また、アップリンクは、データチャネルを含むので、アップリンク制御チャネルのリソース利用率を最低限に抑えること、及び、アップリンクにおけるデータチャネルと制御チャネルとの間の効率的な多重化を提供することは重要である。更に、ＵＥは、アップリンク制御チャネルの送信にどの時間−周波数リソースを使用すべきかを判定できる必要がある。従って、より大きいＵＣＩペイロードを送信するための新しい機構は、効率的なアップリンク制御チャネルリソース予約方式を含む必要がある。
【００５７】
更に、キャリア構成に応じて、ＵＣＩペイロードが著しく変動し得ることが理解される。例えば、ＰＤＳＣＨに空間的多重化が想定される場合、キャリアあたり、２つのＨＡＲＱ情報フィードバックビット（すなわち、トランスポートブロックあたり１ビット）が送信される必要がある。更に、時分割複信（ＴＤＤ）については、ＨＡＲＱ情報フィードバックビットの数は、ＵＬサブフレームインデックス及びＵＬ／ＤＬ  ＴＤＤ構成に依存する。同様に、ＣＳＩペイロードは、各コンポーネントキャリアのＣＳＩレポートモードに依存する。従って、ＵＣＩペイロードは、キャリアアグリゲーションの構成に応じて、数十ビットから数百ビットの範囲で著しく変動し得る。従って、効率的なＰＵＣＣＨリソース利用率のために、ＰＵＣＣＨのペイロード容量を入力ＵＣＩビットの数に適用することが考慮され得る。
【００５８】
最大３２のダウンリンクコンポーネントキャリアのキャリアアグリゲーションがサポートされる必要がある場合、第１の問題は、既存のＰＵＣＣＨフォーマットが十分なＵＣＩペイロード容量を提供しないことである。例えば、３２の周波数分割多重（ＦＤＤ）コンポーネントキャリアを集約し、多入力多出力（ＭＩＭＯ）送信を使用するとき、６４のＨＡＲＱ情報フィードバックビットが収容される必要がある（すなわち、コンポーネントキャリアあたり２つのＨＡＲＱ‐ＡＣＫビット）。更に、ＴＤＤ  ＵＬ／ＤＬ構成５で３２のＴＤＤコンポーネントキャリアを集約し、ＭＩＭＯ送信を使用するとき、５７６のＨＡＲＱ情報フィードバックビットが収容される必要がある。
【００５９】
典型的には、場合によってはやはり統合され得る、より大きいＵＣＩペイロードを収容するために、２つの選択肢がある。一つには、ＨＡＲＱ情報（例えば、ＡＣＫ、ＮＡＣＫ、又はＤＴＸ）は、ビット間で論理和演算を実行してＨＡＲＱビットを束ねることによって圧縮され得る。この欠点は、不要な再送信の数が増加する（すなわち、ダウンリンクのスループットが低減する）ことである。なぜなら、任意のＡＣＫがＮＡＣＫ／ＤＴＸと共に束ねられる結果、束ねられたＮＡＣＫが生じるからである。別の選択肢は、例えば、ＣＳＩレポートの場合に、情報を破棄することである。例えば、ペイロードが大きくなりすぎる場合、特定のＣＳＩレポートがいくつかの規則に従って優先化される。この欠点は、ｅＮｏｄｅＢが全キャリアについてのＣＳＩレポートを取得する時間が長くなることである。時間−周波数リソースの量を増加させることによって、より大きいペイロード容量が達成され得る。これは、ＰＵＣＣＨ送信のために、１より多くのＰＲＢペアを使用することによって、又は、ＰＵＣＣＨフォーマットのＵＥ多重化容量を低減することによって実現され得る。別の選択肢は、変調レベルを例えば１６ＱＡＭへ増加させることである。既存のＰＵＣＣＨフォーマットでは、複数のＰＲＢペアの割り当ても、複数の変調レベルの利用も不可能である。
【００６０】
第２の問題は、新しいＰＵＣＣＨフォーマットが設計される場合、新しいＰＵＣＣＨリソース予約方式が必要となり得るという点である。新しいＰＵＣＣＨフォーマットでは、ＰＵＣＣＨリソースの別個のセットが必要となり得て、それにより、既存のＰＵＣＣＨリソース予約方式が適用可能でなくなる。既存のＰＵＣＣＨリソース割り当て方式は、少なくとも２つの点で柔軟性に欠ける。一つには、より大きいペイロードに対応可能な新しいＰＵＣＣＨフォーマットは、ＤＦＴプリコーディングを利用することが利益となり得て、それにより、結果として生じる波形は、送信されるシグナリングのパワーダイナミクスを低減するシングルキャリア周波数分割多重接続（ＳＣ−ＦＤＭＡ）である。従って、そのようなＰＵＣＣＨフォーマットは、時間スロット内において、２又はより多くの隣接するＰＲＢ上で送信される必要がある。このことは、ＰＵＣＣＨ領域ｋ、ｋ＋２...のジョイント割り当て（ｊｏｉｎｔ  ａｌｌｏｃａｔｉｏｎ）を必要とするが、それはＬＴＥにおいてサポートされていない。
【００６１】
ＰＵＣＣＨ領域は、２つの時間スロット内において、ＰＲＢの異なる周波数位置を含む。この利点は、周波数ダイバーシティが増加することである。一方で、これにより、２つのそれぞれのＰＲＢにおける基準信号から取得されたチャネル推定を補間することが不可能になる。より大きいペイロードに対応する新しいＰＵＣＣＨフォーマットは、２つの時間スロットにおいて同一のＰＲＢを使用できることから利益を受け得る。これにより、周波数ダイバーシティが低減し得るが、基準信号オーバーヘッドを低減することを可能にし得る。なぜなら、２つのそれぞれのＰＲＢにおける基準信号から取得されたチャネル推定を補間することが可能になるからである。既存のＰＵＣＣＨリソース割り当て方式は、両方の時間スロット内において同一のＰＲＢを使用することをサポートしていない。ＬＴＥ−アドバンストにおけるＰＵＣＣＨは、複数のＰＵＣＣＨフォーマット（例えば、フォーマット１／１ａ／１ｂ／２／２ａ／２ｂ／３）を含む。各フォーマットは、ＳＲ送信、ＨＡＲＱフィードバック、及び周期的ＣＳＩレポートという特定の目的に使用される。これらのＰＵＣＣＨフォーマットのペイロードは、１〜２２情報ビットの範囲に及ぶ。ＰＵＣＣＨフォーマット１／１ａ／１ｂ／２／２ａ／２ｂは、変調されたシーケンスに基づき、一方、ＰＵＣＣＨフォーマット３は、ＤＦＴ拡散送信を使用する。また、ＰＵＣＣＨフォーマットのうちの複数は、ＣＤＭ送信を含み、それにより、複数のＵＥは、種々のシーケンスを利用することによって、同一のＰＲＢペア上でＰＵＣＣＨを送信し得る。ＰＵＣＣＨフォーマット１／１ａ／１ｂ／２／２ａ／２ｂは、同一のＰＲＢペアを共有し得て、一方、ＰＵＣＣＨフォーマット３のＰＲＢペアは、他のＰＵＣＣＨフォーマットと共有され得ない。特徴的な性質として、全てのＰＵＣＣＨフォーマットがＱＰＳＫ変調を利用し、１つのＰＲＢペアを含む１つのＰＵＣＣＨ領域のみを占有する。図１は、ＭのＰＲＢを有するキャリアについてのサブフレーム（すなわち、２つの時間スロット）における１２のＰＵＣＣＨ領域（ｍ＝０，１，...，１１）の位置の例を示す。ＰＲＢは、１８０ｋＨｚ及び０．５ｍｓ（すなわち、１つの時間スロット）を含む。ＰＵＣＣＨ領域は、第１時間スロット内の１つのＰＲＢ、及び、第２時間スロット内の１つのＰＲＢを含む。
【００６２】
第３の問題は、ＵＣＩペイロードが著しく変動し得ることである。ＵＣＩペイロードは、それがＨＡＲＱ−ＡＣＫ情報及び／又はＣＳＩレポートを含むかどうかに応じて異なり得る。そのようなペイロードの変動は、いくつのサービングセルがスケジューリングされるか、及び、ＣＳＩレポートの期間がどのように配置されるかに応じて、サブフレームレベルで発生し得る。従って、特定のサブフレームにおいて、ＵＣＩペイロードが他のサブフレームより比較的小さくなることが予想され得る。
【００６３】
上述の、及び更なる問題及び欠点を解決するべく、本発明の実施形態は、ネットワークノード、ユーザデバイス、無線通信システム、及びその方法に関する。
【００６４】
図２は、本発明の実施形態に係るネットワークノード１００を示す。ネットワークノード１００は、図２に示されているように、無線通信システム５００において通信する能力を有する。ネットワークノード１０６は、ネットワークノード１００のトランシーバ１０４に結合された１又は複数の任意のアンテナ１０６を有する。ネットワークノード１００は更に、当技術分野において知られている通信手段を用いてトランシーバ１０４と通信可能に結合するプロセッサ１０２を有する。ネットワークノード１００のプロセッサ１０２は、本ＰＵＣＣＨに複数のＰＲＢを割り当てるように構成されている。本ＰＵＣＣＨは、２又はより多くのＰＲＢについて定義されている少なくとも１つの新しいＰＵＣＣＨフォーマットを有する。割り当てられた複数のＰＲＢは、無線通信システム５００のユーザデバイス３００（図４を参照）に関連付けられる。このことは、割り当てられた複数のＰＲＢは、アップリンク制御情報を送信するべくユーザデバイス３００によって使用されるように意図されていることを意味する。しかしながら、符号分割多重又は他の直交多重化方法が使用される場合、同一のＰＲＢが１つより多くのユーザデバイス３００へ割り当てられ得ることに留意すべきである。
【００６５】
ネットワークノード１００のトランシーバ１０４は、割り当て情報をユーザデバイス３００へシグナリングするように構成される。上述の割り当て情報は、ＰＵＣＣＨについての複数のＰＲＢの割り当てに関する情報を含む。割り当て情報は、少なくとも、割り当てられた複数のＰＲＢの周波数位置、及び、割り当てられた複数のＰＲＢの数を含む。
【００６６】
本ネットワークノード１００、又は、例えば無線基地局（ＲＢＳ）などの基地局は、使用される通信技術及び用語に応じて、いくつかのネットワークにおいて、トランスミッタ、「ｅＮＢ」、「ｅＮｏｄｅＢ」、「ＮｏｄｅＢ」、又は「Ｂ  ｎｏｄｅ」と称され得る。無線ネットワークノードは、送信電力に基づいて、及び、従ってセルサイズにも基づいて、例えば、マクロｅＮｏｄｅＢ、ホームｅＮｏｄｅＢ、又は、小型基地局など、種々のクラスのものであり得る。無線ネットワークノードは、ステーション（ＳＴＡ）であり得る。これは、ＩＥＥＥ８０２．１１に適合する、無線媒体（ＷＭ）への媒体アクセス制御（ＭＡＣ）及び物理層（ＰＨＹ）インタフェースを含む任意のデバイスである。
【００６７】
図３は、本発明の実施形態に係る、対応する方法２００を示す。方法２００は、図２に示されているものなどのネットワークノード１００において実行され得る。方法２００は、２又はより多くのＰＲＢについて定義された新しいＰＵＣＣＨフォーマットを有するＰＵＣＣＨに複数のＰＲＢを割り当てる段階２０２を備える。割り当てられた複数のＰＲＢは、上述のように、少なくとも１つのユーザデバイス３００と関連付けられる。方法２００は最後に、割り当て情報をユーザデバイス３００へシグナリングする段階２０４を備える。割り当て情報は、ＰＵＣＣＨフォーマットに割り当てられた複数のＰＲＢの周波数位置と、ＰＵＣＣＨフォーマットに割り当てられた複数のＰＲＢの数とを含む。
【００６８】
本発明の一実施形態において、本ＰＵＣＣＨフォーマットは、２つより多くのＰＲＢ、１つの時間スロット内の１つより多くのＰＲＢ、１つより多くのＰＵＣＣＨ領域に関連付けられたＰＲＢ、及び、これら３つの場合の組み合わせについて定義されているが、これらの場合に限定されるものではない。
【００６９】
図４は、本発明の実施形態に係るユーザデバイス３００を示す。ユーザデバイス３００は、プロセッサ３０２及びトランシーバ３０４を備える。プロセッサ３０２は、当技術分野において知られている通信手段を用いてトランシーバ３０４と通信可能に結合される。図４に示されている実施形態において、ユーザデバイス３００は更に、トランシーバ３０４に結合された１又は複数の任意のアンテナ３０６を備える。ユーザデバイス３００のプロセッサ３０２は、１又は複数のネットワークノード１００ａ，１００ｂ，...，１００ｎ（図６を参照）についてのアップリンク制御情報を判定するように構成されている。制御情報は、ＳＲ送信、ＨＡＲＱフィードバック、及び周期的ＣＳＩレポートなど、ユーザデバイス３００とネットワークノード１００との間の送信についての情報に関する。ユーザデバイス３００のトランシーバ３０４は、プロセッサ３０２からアップリンク制御情報を受信し、更に、新しいＰＵＣＣＨにおけるアップリンク制御情報を１又は複数のネットワークノード１００ａ，１００ｂ，...，１００ｎへ送信するように構成される。ユーザデバイス３００がその中で制御情報を送信する本ＰＵＣＣＨに複数のＰＲＢが割り当てられ、ＰＵＣＣＨは、上述のように、２又はより多くのＰＲＢについて定義された新しいＰＵＣＣＨフォーマットを有する。
【００７０】
ユーザデバイス（ＵＤ）３００若しくはＵＥ、移動局、無線端末、及び／又は移動端末は、場合によってはセルラー無線システムを指すこともある無線通信システム５００において無線通信可能である。ＵＥは更に、無線機能を有するモバイルフォン、携帯電話、コンピュータタブレット、又はラップトップを指し得る。本文脈におけるＵＥは、例えば、ポータブル、ポケット内収容可能、手持ち、コンピュータ内蔵、又は、車載のモバイルデバイスであり得て、無線アクセスネットワークを介して、別のレシーバ若しくはサーバなどの別のエンティティと音声及び／又はデータを通信可能である。ＵＥは、ステーション（ＳＴＡ）であり得る。これは、ＩＥＥＥ８０２．１１に適合する、無線媒体（ＷＭ）への媒体アクセス制御（ＭＡＣ）及び物理層（ＰＨＹ）インタフェースを含む任意のデバイスである。
【００７１】
図５は、本発明の実施形態に係る対応する方法４００を示す。方法４００は、図４に示されているようなユーザデバイス３００において実行され得る。方法４００は、１又は複数のネットワークノード１００ａ，１００ｂ，...，１００ｎのためのアップリンク制御情報を判定する段階４０２を備える。最後に、方法４００は、本ＰＵＣＣＨ内においてアップリンク制御情報を１又は複数のネットワークノード１００ａ，１００ｂ，...，１００ｎへ送信する段階４０４を備える。複数のＰＲＢはＰＵＣＣＨへ割り当てられ、ＰＵＣＣＨは、２又はより多くのＰＲＢについて定義されたＰＵＣＣＨフォーマットを有する。
【００７２】
本発明の実施形態によれば、ユーザデバイス３００のトランシーバ３０４は、物理層のシグナリング若しくは上位層のシグナリング、又はそれらの組み合わせにおいて、１又は複数のネットワークノード１００ａ，１００ｂ，...，１００ｎから割り当て情報を受信するように更に構成される。上述のように、ネットワークノード１００に関しては、割り当て情報は少なくとも、ＰＵＣＣＨのために割り当てられた複数のＰＲＢの周波数位置及び数を含む。更に、ユーザデバイス３００のトランシーバ３０４は、割り当て情報に従って、ＰＵＣＣＨにおいてアップリンク制御情報を送信するように更に構成されている。このことは、ユーザデバイス３００は、割り当て情報において提供されているような、割り当てられた複数のＰＲＢの周波数位置及び数において、アップリンク制御情報を送信することを意味する。また、更なる割り当て情報が割り当て情報中に含まれる場合、ユーザデバイス３００は、例えば、変調タイプ及び／又は変調レベルなど、更なる割り当て情報に従って、アップリンク制御情報を送信する。
【００７３】
以下の説明において、本発明の更なる実施形態を説明するべく、ＬＴＥ又はＬＴＥ−アドバンストの用語及び文脈が使用される。しかしながら、本発明の実施形態のネットワークノード１００、ユーザデバイス３００、及び方法２００、４００は、上述のＬＴＥ又はＬＴＥ−アドバンストのシステムに限定されるものではなく、多くの異なる無線通信システムにおいて使用され、適用され得ることに留意すべきである。
【００７４】
一般的に、本解決法は、少なくとも２つのＰＲＢペア上で送信され得る新しいＰＵＣＣＨフォーマットを考慮する。ＬＴＥ−アドバンストにおいて、そのようなＰＵＣＣＨフォーマットは、例えば、ＰＵＣＣＨフォーマット３を時間スロット内の複数のＰＲＢへ拡張すること、又は、時間スロット内の複数のＰＲＢを伴う、物理アップリンク共有チャネル（ＰＵＳＣＨ）ベースの構造を利用することに基づき得る。典型的には、時間スロット内において、アップリンク制御チャネルの低いパワーダイナミクスを維持するべく、少なくとも２つのＰＲＢペアは、周波数領域において互いの隣に隣接して配置され得る。しかしながら、ＰＵＣＣＨフォーマットは、少なくとも２つのＰＲＢペア（例えば、１つの時間スロット内の少なくとも２つのＰＲＢ、及び、別の隣接する時間スロット内の少なくとも２つのＰＲＢ）上での送信を収容するが、本発明の実施形態は、実際の送信が１つのＰＲＢペア（例えば、１つの時間スロット内の１つのＰＲＢ、及び、別の隣接する時間スロット内の１つのＰＲＢ）上だけで行われるように制限するものではない。また、当業者であれば、少なくとも２つのＰＲＢペア上で送信され得るＰＵＣＣＨフォーマットが複数のＰＵＣＣＨフォーマットとして代替的に表されるとき（この場合、種々のＰＵＣＣＨフォーマットは、同一の基本送信構造を示すが、種々の数のＰＲＢを使用している）に、本発明は適用可能であることを理解し得る。
【００７５】
本発明の一実施形態において、ネットワークノード１００は、ユーザデバイス３００が新しいＰＵＣＣＨフォーマットについての特性を推定する元となり得る情報エンティティΔをユーザデバイス３００へ提供する。情報エンティティΔは、ＰＵＣＣＨフォーマットのＰＲＢの割り当てに関する割り当て情報を含む。本開示における情報エンティティΔの使用は、本解決法を理解しやすくすることを目的としているが、それに限定されるものではない。このことは、情報エンティティΔを使用しない他の解決法が可能であることを意味する。
【００７６】
本発明の一実施形態において、新しいＰＵＣＣＨフォーマットのために使用されるＰＲＢペアの数は、可変ではなく、例えば、常にＰ（Ｐ＞１）のＰＲＢペアである。従って、割り当てられたＰＲＢの数、及び／又は、割り当てられたＰＲＢの周波数位置に関する情報は、予め定義された規則によって取得され得て、ネットワークノード１００によってシグナリングでユーザデバイス３００へ提供される必要はない。このことは、ユーザデバイス３００はまた、予め定義された規則を知ることによって、アップリンク制御情報をどのように、どこへ、どのリソース内で送信するかを知ることを意味する。
【００７７】
しかしながら、本発明の別の実施形態において、新しいＰＵＣＣＨフォーマットで送信するために割り当てられるＰＲＢペアの数は、可変かつ動的である。これは、リソースのオーバーヘッドを最低限に抑えること、及び、十分な検出性能を実現することに有利である。割り当てられたＰＵＣＣＨリソースの数は、ＵＣＩをその上で送信できる符号化ビットの数に関連する。従って、ＵＣＩペイロードは変動し得るので、コードレート（すなわち、ＵＣＩペイロードビットの数と符号化ビットとの比率）を調整するための手段として、割り当てられたＰＵＣＣＨリソースの数をｅＮｏｄｅＢが制御することを可能にすることは有利である。本発明の実施形態はまた、ユーザデバイス３００が、割り当てられた複数のＰＲＢの数、及び、割り当てられた複数のＰＲＢの周波数位置に関する割り当て情報ＩをΔのみから、又は、物理ダウンリンク共有チャネル（ＰＤＳＣＨ）など、関連するダウンリンクデータ送信をスケジューリングするダウンリンク制御チャネルから取得され得るパラメータ及びΔから判定する場合に適用可能である。例えば、前者の場合、割り当て情報は、Ｉ＝ｆ（Δ）などの関数であり得て、後者の場合、割り当て情報は、関数Ｉ＝ｆ（Δ，ｎＣＣＥ）であり得る。ここで、ｎＣＣＥは、例えばＰＤＣＣＨ又はＥＰＤＣＣＨなどの関連するダウンリンク制御チャネルのために使用される時間−周波数リソースから取得されるインデックスである。
【００７８】
図６は、本発明の実施形態に係る無線通信システム５００を示す。無線通信システム５００は、少なくとも１つのネットワークノード１００及び少なくとも１つのユーザデバイス３００を備える。しかしながら、図６における例では、複数のネットワークノード１００ａ、１００ｂ，...，１００ｎが示されている。図６では、ユーザデバイス３００と、ネットワークノード１００ａ、１００ｂ，...，１００ｎとの間のインタラクションも図示されている。
【００７９】
図６におけるネットワークノード１００ａは、ダウンリンク内において、割り当て情報を情報エンティティΔの形態でユーザデバイス３００へシグナリングする。詳細は後述するが、ユーザデバイス３００へのシグナリングは、物理層のシグナリング、上位層のシグナリング、又は、それらの組み合わせにおいて行われ得る。ユーザデバイス３００は、情報エンティティΔを受信する。アップリンク制御情報を判定後、ユーザデバイス３００は、情報エンティティΔ内の割り当て情報に従って、ＰＵＣＣＨ内においてアップリンク制御情報を送信する。
【００８０】
アップリンク制御情報は、ネットワークノード１００ａのみへ、又は、無線通信システム５００の他のネットワークノード１００ｂ，...，１００ｎへも送信され得る。１つのネットワークノード１００が割り当て情報をユーザデバイス３００へ送信すること、及び、別のネットワークノード１００がアップリンク制御情報を受信することが可能である。例えば、ネットワークノード１００ａは、割り当て情報をユーザデバイス３００へ送信し得て、ネットワークノード１００ｂは、アップリンク制御情報をユーザデバイス１００から受信し得る。従って、本ネットワークノード１００のトランシーバ１０４は、更なる実施形態に従って割り当て情報をユーザデバイス３００へ送信することに応答して、新しいＰＵＣＣＨフォーマットでアップリンク制御情報をユーザデバイス３００から受信するように更に構成される。
【００８１】
本発明の一実施形態において、情報エンティティΔは、例えば、媒体アクセス制御（ＭＡＣ）又は無線リソース制御（ＲＲＣ）シグナリングなど、上位層のシグナリングによって構成される。これの利点は、割り当て情報をユーザデバイス３００へ提供することに関して、オーバーヘッドが小さく簡潔になることである。一方で、異なる数のＰＲＢペア若しくは変調レベルの使用の間の適合能力及び柔軟性は低い。上位層によって構成される情報エンティティは、ＵＣＩ情報が任意のダウンリンク制御チャネルに関連付けられていない場合（例えば、ＣＳＩレポートのみを含む場合）に役立ち得る。これにより、ユーザデバイス３００は、ダウンリンク制御チャネルを用いてアップリンクＰＵＣＣＨリソースを取得する必要がなく、無線通信システム５００のダウンリンクにおけるオーバーヘッドが減る。
【００８２】
本発明の一実施形態において、割り当て情報は、ダウンリンク制御チャネル内において、上位層のシグナリング（例えば、ＭＡＣ又はＲＲＣシグナリング）と物理層のシグナリングとの組み合わせによって提供される。例として、関連するダウンリンク制御チャネル（例えばＰＤＣＣＨ又はＥＰＤＣＣＨ）は、Ｋ個の異なる状態に対応可能なインジケータΔｉ（ｉ＝０，１，...，Ｋ−１）を含むと想定する。このインジケータΔｉは、［ｌｏｇ２（Ｋ）］ビットをシグナリングすること、又は、ダウンリンク制御チャネルにおける、未使用の状態、及び、既存のビットの組み合わせを利用することによって促進され得る。例えば、二次サービングセル上で送信されるＰＤＣＣＨ／ＥＰＤＣＣＨに特定のダウンリンク制御情報ビットが必要なければ十分であり得る。従って、インジケータΔｉを運ぶべく、一次サービングセル上のダウンリンクデータ送信に関連付けられていないダウンリンク制御チャネルからのそのようなビットを利用することが可能であり得る。これらのビットが十分でない場合、追加の新しいビットが挿入され得るか、又は、ダウンリンク制御チャネル内における未使用の状態、又は、既存のビットの組み合わせが利用され得る。
【００８３】
上述のＫの状態の各々について、一例において、対応する上位層の情報エンティティｂｉが構成される。このエンティティは、割り当てられた複数のＰＲＢの数、及び、割り当てられた複数のＰＲＢの周波数位置に従って情報を伝え得る。上位層情報エンティティは、ＵＥ特異的に構成され得て、リソースの効率的な割り当てにおいて、十分な柔軟性を提供する。なぜなら、種々のＵＥが種々の数のコンポーネントキャリアで構成され得て、これにより、種々のＵＣＩペイロードを必要とし、その結果、ＰＵＣＣＨリソースの種々の必要性が生じるからである。従って、所与の状態は、種々のＵＥについてのＰＲＢの種々の数及び／又は位置に対応し得る。物理層シグナリングと、上位層によって構成されたエンティティｂｉとの組み合わせを利用する利点は、送信に使用されるＰＲＢペアの数の動的な切り替えが可能になることである。これは、キャリアアグリゲーション構成に応じて著しく変動し得る実際のＵＣＩペイロードにリソース利用率を適合することに有益である。これにより、アップリンク制御チャネルのオーバーヘッドが低減し得る。ＮのＰＲＢペアが送信に割り当てられ得る場合、サイズが１〜Ｎである隣接するＰＲＢペアの、
【数１】
0006501903.tif 000002
の独自の組み合わせが存在することが理解される。更なる一例において、この割り当て情報は、サイズがＮであるＮ（Ｎ＋１）／２ビットマップに関連付けられたＫ＝［ｌｏｇ２（Ｎ（Ｎ＋１）／２）］ビットによって提供される。ビットマップ内の「１」は、割り当てられるＰＲＢペアに対応する。ビットマップの定義は、予め定義される得か、又は、上位層によって構成され得るかのいずれかである。表１は、インジケータΔｉの例を示す。
【００８４】
また、表１は、Ｎ＝４であるビットマップｂｉ＝［ｃ０ｃ１ｃ２ｃ３］の例を与える。ｃｉは、ＰＲＢペアへのインデックスを示す。ユーザデバイス３００は、ビットマップインデックスｃｉを、上位層構成によってＰＲＢペアの位置（又はＰＵＣＣＨ領域）に関連付け得る。例えば、オフセット値δは、ユーザデバイス３００がＰＲＢペアの位置をｎ＝ｆ（Δｉ）＋δとして判定するように構成され得て、δはｃ０についてのＰＲＢペアの位置に対応する。
［表１：ＰＵＣＣＨについてのリソース割り当ての例］
【表１】
0006501903.tif 000003
【００８５】
ビットマップの解釈はまた、（１）ビット「１」は両方の時間スロットにおいて使用されることになるＰＲＢインデックスに対応すること、及び、（２）ビット「１」はＰＵＣＣＨ領域に対応することのうち、いずれかであり得る。
【００８６】
第１の解釈では、両方の時間スロットにおいて同一のＰＲＢを使用することが可能である。第２の解釈では、時間スロットにおいて隣接するＰＲＢを利用しつつ、ＰＵＣＣＨ領域を用いる割り当てを使用することが可能である。
【００８７】
隣接するビットの組み合わせのみによるビットマップの別の表現は、インデックスＲを使用することである。Ｎ個の利用可能なＰＲＢペアが０からＮ−１まで列挙されていて、割り当てはＬ個のＰＲＢペアを含み、第１のＰＲＢペアはインデックスＳから開始すると想定すると、単一のインデックスＲは、以下に従って、全ての該当する割り当てを符号化し得る。
【数２】
0006501903.tif 000004
の場合、
Ｒ＝Ｎ（Ｌ−１）＋Ｓ
そうでない場合、
Ｒ＝Ｎ（Ｎ−Ｌ＋１）＋（Ｎ−１−Ｓ）
【００８８】
例として、これは、表１に示されているインデックスＲを与え得る。従って、この実施形態の一具現化は、Δｉ＝Ｒである。レシーバは、上位層構成によってＰＲＢペアの位置（又はＰＵＣＣＨ領域）にインデックスを関連付け得る。例えば、オフセット値δは、ユーザデバイス３００がＰＲＢペアの位置をｎ＝ｆ（Δｉ）＋δとして判定するように構成され得て、δは所与のインデックスＲについてのＰＲＢペアの位置に対応する。また、この場合、インデックスの解釈は、時間スロットにおける隣接するＰＲＢを利用しつつ、両方の時間スロットにおける同一のＰＲＢの使用、又は、ＰＵＣＣＨ領域を用いる割り当てを可能にし得る。
【００８９】
本発明のこの実施形態の利点は、ＰＵＣＣＨリソースの再使用を改善することである。例えば、構成されたＰＲＢペアのいくつかを、他のＰＵＣＣＨフォーマットのために割り当てられたＰＲＢペアと重複させることが可能であり得る。動的にシグナリングされるパラメータΔｉを使用することによって、ＰＵＣＣＨフォーマット間の衝突が回避され得る。例えば、表１において、インデックスｃ０が、所与のサブフレーム内に占有されている別のＰＵＣＣＨフォーマットと重複するＰＲＢペアに対応する場合、ｅＮｏｄｅＢは、Δｉ＝３，６，８，９をシグナリングしないことによって、リソース割り当てを依然実行し得る。
【００９０】
Δｉを伝えるために必要なビットの数Ｋ及び量を更に低減するべく、隣接する割り当てのサブセットのみを許可することが可能である。例えば、表１において、状態３、６、８、及び９のみが許可される場合、４ビットで十分であり得る。つまり、４つの状態は、１、２、３、又は４のＰＲＢペア上での送信にそれぞれ対応する。
【００９１】
本発明の別の実施形態において、シグナリングされる必要がある状態の数を低減するべく、情報エンティティΔｉは、送信に使用されることになるＰＲＢペアの数に対応し、ＰＲＢペアの位置は、関数ｎ＝ｆ（Δｉ）＋δによって取得される。ここで、δは上位層によって構成されるオフセット値である。例えば、Δｉ＝０，１，...のとき、ｆ（Δｉ）＝Δｉ＋１である。
【００９２】
本発明の別の実施形態において、割り当て情報は、いずれかのビットマップを利用することなく、エンティティｂｉが新しいＰＵＣＣＨフォーマットの送信に使用されるＰＲＢペア（又はＰＵＣＣＨ領域）へのインデックスを含むようにすることによって直接提供される。このことは、１又は複数のインデックスがΔｉの各状態に関連付けられることを必要とする。このことは、種々のΔｉが種々の数のインデックスに関連付けられることを示唆する。そのような表現の例も、表１に示されている。これらのインデックスは、上位層によって構成され得る。
【００９３】
本発明の一実施形態において、情報エンティティΔは、物理層シグナリングのみによって提供される。これは、ＰＲＢペアの割り当てにおいて最大限の自由度を与えるが、わずかに多いオーバーヘッドを必要とし得る。例えば、キャリア帯域幅がＭリソースブロックである場合、送信に使用される隣接するＰＲＢペアの数及び位置を判定するべく、ダウンリンク制御チャネルにおいて、［ｌｏｇ２（Ｍ（Ｍ＋１）／２）］ビットが必要になり得る。
【００９４】
本発明の一実施形態において、割り当てられるＰＲＢペアは、時間スロット内の周波数において隣接するが、（割り当ての元となる）利用可能なリソースの全てが必ずしも隣接するわけではない。これは、例えば新しいＰＵＣＣＨフォーマットがＣＳＩレポートに使用される場合に有利である。この目的で、上位層によって構成される隣接するＰＲＢペアのセットをキャリアの端の近くに割り当てることが好ましいことがあり得る。同時に、主にＨＡＲＱ−ＡＣＫ情報を運ぶべく、キャリアの中心のより近くにＰＲＢペアのセットを予約することは有益であり得る。従って、ＨＡＲＱ−ＡＣＫ情報を除くいずれのＣＳＩレポートも存在しないことが想定されるサブフレームにおいて、ＨＡＲＱ−ＡＣＫ情報を含むＰＵＣＣＨの送信のために、上位層によって構成される、ＣＳＩレポートを行うＰＲＢペアを使用することが可能であるべきである。
【００９５】
もっとも一般的な形態の例が表２に示されている。ここでは、各インジケータΔｉは、各々がＰＲＢペア（又はＰＵＣＣＨ領域）に対応する、上位層によって構成された１又は複数のエンティティｂｉに関連付けられる。例えば、Δｉ＝４の場合、２つのエンティティｂｉ＝４及びｂｉ＝５が２つの隣接するＰＲＢペア（又はＰＵＣＣＨ領域）に関連付けられ、一方、Δｉ＝５の場合、２つのエンティティｂｉ＝６及びｂｉ＝７が、離れた別の２つの隣接するＰＲＢペア（又はＰＵＣＣＨ領域）に関連付けられる。従って、ｂｉ＝６及びｂｉ＝７が、キャリアの端の近くに配置されるＰＲＢペアに関連付けられていて、また、これらのリソースはＣＳＩレポートを収容するべく上位層によって構成されたと想定すると、ＨＡＲＱ‐ＡＣＫの形態のＵＣＩも、Δｉ＝５が提供されるとき、これらのリソースを利用し得ることが可能であり得る。
［表２：ＰＵＣＣＨのリソース割り当ての例］
【表２】
0006501903.tif 000005
【００９６】
リソース割り当ては、ＵＣＩ送信のためのＰＲＢペアの数を提供する。これは、符号化されるビットの数を決定するので、ＵＣＩ送信のコードレートに関連する。従って、固定されたＵＣＩペイロードについては、より多くの数の割り当てられたＰＲＢペアによってコードレートが低減し、ＵＣＩの検出性能が改善する。これにより、ダウンリンクキャリアアグリゲーションをセル内のより大きいエリア上で実行できるようにし得る。なぜなら、ＰＵＣＣＨは、低い信号ノイズ比で復号化できるからである。この発明によって、ＵＣＩペイロードビットの数をＰＵＣＣＨリソースの割り当てられた数に関連付けることで、コードレートの追加的な調整が可能であることが更に理解される。これは、インデックスΔｉを、いくつかの予め定義された規則に従って、ＵＣＩペイロードビットの数に追加的に関連付けられるようにすることによって実現され得る。例えば、ＵＥが、少ない数の構成されたダウンリンクコンポーネントキャリア上だけでスケジューリングされる場合（つまり、Ｘ個のコンポーネントキャリアで構成される場合）、値Δｉは、Ｚ（Ｚ＜Ｘ）個のダウンリンクコンポーネントキャリアで構成されたかのように、フィードバックＨＡＲＱ−ＡＣＫ情報だけをＵＥに追加的に通知し得る。これにより、情報ビットの数が低減するので、コードレートが低減し得て、ＰＲＢペアの必要な割り当て数がより一層少なくなり得て、それにより、オーバーヘッドが減る。
【００９７】
本発明の一実施形態において、情報エンティティΔは、新しいＰＵＣＣＨフォーマットにおいて使用されることになる変調次数及び／又は変調タイプを判定することを更に可能にする。アップリンク制御チャネルリソースのより効率的な制御を可能にするので、これは有利である。例えば、ユーザデバイス３００のチャネル状態が良好である場合、より高い変調次数を採用し得て、アップリンク制御チャネルのためにより少ないＰＲＢペアを利用し得る。この特性は、割り当てられた複数のＰＲＢの数、及び、割り当てられた複数のＰＲＢの周波数位置についての情報を提供することに関して、上述の実施形態と組み合わされ得る。
【００９８】
本発明の一実施形態において、変調レベル及び／又は変調タイプの指示が物理層シグナリングによって提供され、割り当てられた複数のＰＲＢの数、及び、割り当てられた複数のＰＲＢの周波数位置に関する情報を提供するエンティティとは別個に符号化される。例えば、四位相偏移変調（ＱＰＳＫ）、又は、１６の直交振幅変調（ＱＡＭ）を使用するかどうか（すなわち、変調タイプ）の指示は、ダウンリンク制御チャネルにおける単一のビットによって、または、ダウンリンク制御チャネルにおける既存のビットのいくつかの未使用状態によって可能となり得る。
【００９９】
一例において、変調レベルの指示は、物理層シグナリングによって提供され、ネットワークノード１００からジョイント符号化され、割り当てられた複数のＰＲＢの数、及び、割り当てられた複数のＰＲＢの周波数位置に関する情報を提供する。この利点は、ダウンリンク制御チャネルにおいて送信される必要があるビットの数を低減し得るという点である。多くの場合において、［ｌｏｇ２（Ｎ（Ｎ＋１）／２）］＞ｌｏｇ２Ｎ（Ｎ＋１）／２であり、従って、割り当てられた複数のＰＲＢの数、及び、割り当てられた複数のＰＲＢの周波数位置に関する割り当て情報を判定するための、未使用のビットが存在し得る。これは、変調レベル及び／又は変調タイプに関する情報を判定するべく使用され得ることに留意されたい。表３は、合計４ビットを利用するジョイント符号化（ｊｏｉｎｔ  ｅｎｃｏｄｉｎｇ）の一例を示す。
［表３：長さ４の１０のビットマップ及び変調タイプの例］
【表３】
0006501903.tif 000006
【０１００】
別の例は、特定のリソース割り当てを特定の変調レベルに関連付けることである。表４は、非限定的な例を提供する。ここでは、割り当てられた複数のＰＲＢの数、及び、割り当てられた複数のＰＲＢの周波数位置に関する情報、並びに、変調レベル及び／又は変調タイプがジョイント符号化される。当業者であれば、新しいＰＵＣＣＨフォーマットのためのＰＲＢペア割り当てを指示するべく、変調レベル及び／又はタイプの指示を上述の実施形態のいずれかと組み合わせ得る。
［表４：長さ４の１０のビットマップ及び変調タイプの例］
【表４】
0006501903.tif 000007
【０１０１】
更に、図７から１０は、例示的なＬＴＥの文脈における本解決法に従って、ＰＵＣＣＨフォーマットについての時間及び周波数割り当ての例を図示する。時間スロット０および１（図７から１０において、「スロット」と示される）についての例を提供する。
【０１０２】
図７は、ＰＵＣＣＨリソース予約を示す。ここではＰＵＣＣＨフォーマット４と称される、新しいマルチＰＲＢペアＰＵＣＣＨフォーマットが、ＰＵＣＣＨフォーマット３とＰＵＣＣＨフォーマット１／１ａ／１ｂリソースとの間に配置される。サブフレーム内において新しいＰＵＣＣＨフォーマット４を送信する必要が無い場合、そのリソースは、不要なオーバーヘッドを含み得る。なぜなら、解放されるリソースは、ＰＵＳＣＨ領域内に配置されず、従って、ＰＵＳＣＨ送信のために容易に再使用できないからである。新しいＰＵＣＣＨフォーマット４は、本解決法の例示的なＰＵＣＣＨフォーマットに過ぎず、従って、それに限定されるものではないことに留意すべきである。
【０１０３】
図８は、ＰＵＣＣＨリソース予約の別の例を示す。ここでは、いわゆるＰＵＣＣＨフォーマット４のためのＰＵＣＣＨリソースが、キャリアの中心の近くに配置される。全てのＰＵＣＣＨフォーマット１／１ａ／１ｂリソースが使用されるわけでない場合、これは追加のオーバーヘッドも含む。なぜなら、フリーのＰＲＢペア（ｍ＝４、ｍ＝Ｍ−５）は、ＰＵＳＣＨのスケジューリングに容易に使用できないからである。
【０１０４】
図９は、上位層ＰＲＢペアのセット（ＰＵＣＣＨ領域６−１１）が新しいＰＵＣＣＨフォーマット４へ割り当てられ、一方で、同時に、ＰＵＣＣＨ領域２−１１がＰＵＣＣＨフォーマット１／１ａ／１ｂへ割り当てられる例を示す。従って、これらのＰＵＣＣＨフォーマットは、同一のＰＲＢペア内において同時に送信できないが、ＰＵＣＣＨリソースは、重複する（すなわち、別のＰＵＣＣＨフォーマットと同一のＰＵＣＣＨリソースを占有する）ように構成される。従って、所与のサブフレームにおいて、ＰＵＣＣＨ領域２−５のみがＰＵＣＣＨフォーマット１／１ａ／１ｂに必要である場合、ＰＵＣＣＨ領域６−１１は、新しいＰＵＣＣＨフォーマット４に使用され得る。これにより、制御チャネルリソースの最大限の再使用を可能にする。同様に、ＰＵＣＣＨフォーマット１／１ａ／１ｂがＰＵＣＣＨ領域６および７を利用する必要がある場合、新しいＰＵＣＣＨフォーマット４は、やはりＰＵＣＣＨ領域８−１２などにおいて使用され得る。
【０１０５】
図１０は、重複の別の例を示す。ここでは新しいＰＵＣＣＨフォーマット４は、ＰＵＣＣＨフォーマット３の送信に使用される同一のＰＲＢペア上で多重化され得ることを想定する。ＰＵＣＣＨフォーマット３のリソースは、ＰＵＣＣＨ領域２−５へ割り当てされ、一方、新しいＰＵＣＣＨフォーマット４のリソースは、ＰＵＣＣＨ領域６−１１におけるＰＵＣＣＨフォーマット１／１ａ／１ｂリソースと部分的に重複するＰＵＣＣＨ領域２−１１へ割り当てられる。従って、ｅＮｏｄｅＢが、ＰＵＣＣＨ領域６−１１におけるＰＵＣＣＨフォーマット１／１ａ／１ｂリソースのいくつか、又は全てを利用する必要がないことを保証し得るとき、これらのＰＲＢペアは解放され、新しいＰＵＣＣＨフォーマット４に使用され得る。従って、より大きい周波数の再使用が得られ、より多くのリソースがアップリンクデータチャネルＰＵＳＣＨのために解放される。
【０１０６】
更に、本発明に係る任意の方法は、コード化手段を有するコンピュータプログラム内において実装され得る。コンピュータプログラムは、処理手段によって実行されるとき、処理手段に、方法の段階を実行させる。コンピュータプログラムは、コンピュータプログラム製品のコンピュータ可読媒体内に含まれる。コンピュータ可読媒体は、ＲＯＭ（リードオンリメモリ）、ＰＲＯＭ（プログラム可能リードオンリメモリ）、ＥＰＲＯＭ（消去可能ＰＲＯＭ）、フラッシュメモリ、ＥＥＰＲＯＭ（電気的消去可能ＰＲＯＭ）、又はハードディスクドライブなどの任意のメモリを基本的に含んでよい。
【０１０７】
更に、当業者であれば、本第１ネットワークノード及び第２ネットワークノードは、本解決法を実行するために、例えば、機能、手段、ユニット、要素などの形態で、必要な通信能力を有することを理解するであろう。そのような手段、ユニット、要素、及び機能の他の例は、プロセッサ、メモリ、バッファ、制御ロジック、エンコーダ、デコーダ、レートマッチャ（ｒａｔｅ  ｍａｔｃｈｅｒ）、デレートマッチャ（ｄｅ‐ｒａｔｅ  ｍａｔｃｈｅｒ）、マッピングユニット、乗算器、判定ユニット、選択ユニット、スイッチ、インタリーバ、デインタリーバ、モジューレタ、デモジュレータ、入力、出力、アンテナ、増幅器、レシーバユニット、トランスミッタユニット、ＤＳＰ、ＭＳＤ、ＴＣＭエンコーダ、ＴＣＭデコーダ、電源ユニット、給電線、通信インタフェース、通信プロトコルなどである。これらは、本解決法を実行するために、適切に共に配置される。
【０１０８】
特に、本デバイスのプロセッサは、例えば、中央処理ユニット（ＣＰＵ）、処理ユニット、処理回路、プロセッサ、特定用途向け集積回路（ＡＳＩＣ）、マイクロプロセッサ、又は、命令を解釈及び実行し得る他の論理処理ロジックの１又は複数のインスタンスを含み得る。従って、「プロセッサ」という表現は、複数の処理回路を含む処理回路を表してよい。例えば、上述されたもののうちのいずれか、いくつか、又は全てなどである。処理回路は、データの入力、出力、及び処理のためのデータ処理機能を更に実行してよい。それらの機能には、コール処理制御、ユーザインタフェース制御、又は同様のものなどの、データバッファリング及びデバイス制御機能が含まれる。
【０１０９】
最後に、本発明は上述された実施形態に限定されるものではなく、添付の独立請求項の範囲内の全ての実施形態にも関連し、これらを含むものであることが理解されるべきである。
【図１】
0006501903.tif 000008
【図２】
0006501903.tif 000009
【図３】
0006501903.tif 000010
【図４】
0006501903.tif 000011
【図５】
0006501903.tif 000012
【図６】
0006501903.tif 000013
【図７】
0006501903.tif 000014
【図８】
0006501903.tif 000015
【図９】
0006501903.tif 000016
【図１０】
0006501903.tif 000017